(57)【特許請求の範囲】
【請求項１】
水処理槽の開口の縁部に設けられた段付凹入状の蓋受け部に嵌合状に配備されて上記開口を覆う覆蓋本体と、
覆蓋本体の一端部に形成されてその覆蓋本体の一端面側で開口し覆蓋本体の下面側に盗み凹所を備えた第１凹入部に回転可能に配備された縦軸と、
第１凹入部内で上記縦軸に上下揺動自在でかつ回転可能に支持されて第１凹入部の開口に臨む先端部が下動する方向に常時付勢された可動係合片と、
覆蓋本体の他端部に形成されて覆蓋本体の他端面側で開口し覆蓋本体の上面側に係合部を備える第２凹入部と、
蓋受け部における覆蓋本体の一端部と他端部とに各別に対向する２箇所の立上り面のそれぞれに内向きに突出された固定係合片と、を備え、
覆蓋本体の一端部を蓋受け部に嵌合していくときに、可動係合片の先端部が固定係合片に当たった後、可動係合片の揺動に伴って可動係合片の先端部が固定係合片から外れて固定係合片の下側へ揺動されるようになっていることを特徴とする水処理槽覆蓋のロック装置。
【請求項２】
可動係合片の先端部がばね力で下動する方向に常時付勢されている請求項１に記載の水処理槽覆蓋のロック装置。
【請求項３】
縦軸が第１凹入部の上壁部に貫挿され、その縦軸の上端部に棒状の回転操作部が設けられていると共に、その回転操作部が、上記上壁部に形成された凹部に回転可能に収容されている請求項１または請求項２に記載の水処理槽覆蓋のロック装置。
【請求項４】
縦軸の軸方向中間部に角形軸部が具備されていると共に、可動係合片にその長手方向に長い長孔が開設され、上記角形軸部に可動係合片の上記長孔が嵌合されて、当該可動係合片が縦軸に上下揺動自在でかつ回転可能に支持されている請求項１、請求項２、請求項３のいずれかに記載の水処理槽覆蓋のロック装置。
【発明の詳細な説明】
【０００１】
【発明の属する技術分野】
本発明は、浄化槽などの水処理槽の開口に着脱される覆蓋を、ロックする装置に関する。
【０００２】
【従来の技術】
覆蓋は、浄化槽や下水処理場などの水処理層においてその開口を覆うことに用いられる。そして、上掲したような水処理槽においては、清掃や点検時に、覆蓋を取り除いた開口を通して作業者が出入りする。また、一般的には１つの開口には複数の覆蓋が並べて配備されるようになっており、そのような水処理槽では、一部の覆蓋だけを取り除いて内部の清掃や点検を行うこともある。
【０００３】
図７および図８に従来のロック装置を備えた覆蓋Ａとその覆蓋Ａで開口を覆った水処理槽Ｐを示してある。
【０００４】
水処理槽Ｐは矩形の開口１００の周縁部に段付凹入状の蓋受け部１１０を備えており、その蓋受け部１１０に覆蓋Ａが載架されるようになっている。覆蓋Ａには着脱用の把手ユニット２１０が設けられている。
【０００５】
ロック装置は、矩形の覆蓋本体２０１の一端部に貫通状に配備された操作軸２０２と、この操作軸２０２の下端部に固着された可動係合片２０３と、水処理層Ｐにおける一側と他側の側壁のそれぞれ上端部で内向きに突出された固定係合片２０４，２０５と、覆蓋本体２０１の他端部の裏面側に取り付けられた係合片２０６とを基本的要素として備えている。そして、従来のロック装置においては、可動係合片２０３や係合片２０６、固定係合片２０４，２０５などが水処理槽Ｐ内に突き出ている。
【０００６】
このロック装置にあっては、操作軸２０２を工具（不図示）で回転させると、可動係合片２０３が操作軸２０２と共に回転する。そして、覆蓋Ａを蓋受け部１１０に載架したときに、図示のように係合片２０６が固定係合片２０５に下から対向し、可動係合片２０３が固定係合片２０４に下から対向していると、覆蓋Ａを持ち上げて取り除こうとしても、可動係合片２０３が固定係合片２０４に係合し、係合片２０６が固定係合片２０５に係合するので、覆蓋Ａを取り除くことができない。ロック状態である。
【０００７】
このロック状態から、操作軸２０２を回転させて図２の矢符ａのように可動係合片２０３を回転させて可動係合片２０３を固定係合片２０４に対する非対向状態にするとロック解除状態になり、覆蓋Ａの一端部を持ち上げてその覆蓋Ａを取り除くことができるようになる。そして、ロック解除状態として覆蓋Ａを蓋受け部１１０に載架させた後、操作軸２０２を回転させて図２の矢符ｂのように可動係合片２０３を回転させて可動係合片２０３を固定係合片２０４に下から対向させると、ロック状態になる。
【０００８】
また、水処理槽Ｐの１つの開口１００に複数の覆蓋Ａ…が横に並べて載架されているような場合において、所定の覆蓋を取り除くと、残った覆蓋Ａ…を蓋受け部１１０に載架したまま横に滑らせて開口１００の開き位置を変えることができる。覆蓋Ａを横に滑らせる操作は、ロック装置がロック状態であってもロック解除状態であっても可能である。
【０００９】
【発明が解決しようとする課題】
ところで、水処理槽Ｐを清掃したり点検したりするときに、覆蓋Ａを取り除いた開口１００を利用して作業者が水処理槽Ｐに出入りする場合、上記のように水処理槽Ｐの側壁に固定係合片２０４，２０５が出っ張っていると危険である。また、水処理槽Ｐの１つの開口１００に複数の覆蓋Ａ…が横に並べて載架されているような場合において、所定の覆蓋を取り除いた開き箇所から作業者が出入りする場合には、水処理槽Ｐの側壁に出っ張っている固定係合片２０４，２０５のみならず、残った覆蓋Ａ…から開口１００内に出っ張っている可動係合片２０３や係合片２０６も危険である。
【００１０】
本発明は以上の事情の下でなされたものであり、作業者が出入りする水処理槽の開口内への突出物を無くして作業者の出入りの安全性を確保することのできる水処理槽覆蓋のロック装置を提供することを目的とする。
【００１１】
【課題を解決するための手段】
本発明に係る水処理層覆蓋のロック装置は、水処理槽の開口の縁部に設けられた段付凹入状の蓋受け部に嵌合状に配備されて上記開口を覆う覆蓋本体と、覆蓋本体の一端部に形成されてその覆蓋本体の一端面側で開口し覆蓋本体の下面側に盗み凹所を備えた第１凹入部に回転可能に配備された縦軸と、第１凹入部内で上記縦軸に上下揺動自在でかつ回転可能に支持されて第１凹入部の開口に臨む先端部が下動する方向に常時付勢された可動係合片と、覆蓋本体の他端部に形成されて覆蓋本体の他端面側で開口し覆蓋本体の上面側に係合部を備える第２凹入部と、蓋受け部における覆蓋本体の一端部と他端部とに各別に対向する２箇所の立上り面のそれぞれに内向きに突出された固定係合片と、を備え、覆蓋本体の一端部を蓋受け部に嵌合していくときに、可動係合片の先端部が固定係合片に当たった後、可動係合片の揺動に伴って可動係合片の先端部が固定係合片から外れて固定係合片の下側へ揺動されるようになっている、というものである。
【００１２】
このように構成されたロック装置においては、この構成要素である縦軸や可動係合片は覆蓋本体に形成された第１凹入部に収容されており、第２凹入部の係合部は覆蓋本体の上面側に備わっており、固定係合片は水処理槽の開口の縁部に設けられた段付凹入状の蓋受け部の立上り面で内向きに突出されているので、水処理層の開口内に出っ張る部材がない。
【００１３】
また、覆蓋本体の一端部を蓋受け部に嵌合していくときに、可動係合片の先端部が固定係合片に当たった後、可動係合片の揺動に伴って可動係合片の先端部が固定係合片から外れて固定係合片の下側へ揺動されたときには、覆蓋本体を蓋受け部に嵌合し終えた段階で可動係合片が固定係合片に下から対向してロック状態になる。したがって、覆蓋を水処理槽の蓋受け部に載架するときに可動係合片がどの位置に動かされていても、そのまま覆蓋を蓋受け部に載架して水処理槽の開口を覆わせることが可能である。
【００１４】
本発明において、可動係合片の先端部を下動する方向に付勢する手段としては、可動係合片の重心位置を揺動中心よりも先端部側に設定するという手段のほか、ばね力を利用する手段があり、それによると、可動係合片の先端部を確実に下動する方向に付勢しておくことが可能である。
【００１５】
本発明においては、縦軸が第１凹入部の上壁部に貫挿され、その縦軸の上端部に棒状の回転操作部が設けられていると共に、その回転操作部が、上記上壁部に形成された凹部に回転可能に収容されているという構成を採用することが望ましく、そのようにしておくと、棒状の回転操作部の向きから可動係合片がロック位置にあるかロック解除位置にあるから判断することができるのみならず、覆蓋本体の上面から回転操作部が出っ張らないので、その上を歩く作業者が回転操作部につまずく危険がなくなる。
【００１６】
本発明においては、縦軸の軸方向中間部に角形軸部が具備されていると共に、可動係合片にその長手方向に長い長孔が開設され、上記角形軸部に可動係合片の上記長孔が嵌合されて、当該可動係合片が縦軸に上下揺動自在でかつ回転可能に支持されているという構成を採用することができる。この構成を採用すると、下動係合片を揺動させるための構成が簡単になる。
【００１７】
【発明の実施の形態】
図１は本発明に係るロック装置を取り付けた覆蓋Ａとその覆蓋Ａで開口を覆った水処理槽Ｐを示す一部省略垂直断面図、図２は要部の平面図、図３は他の要部の平面図、図４は縦軸５に対する可動係合片６の取付構造を示す水平断面図、図５および図６は作用を説明するための部分垂直断面図である。
【００１８】
水処理槽Ｐにおいて、矩形の開口１００の周縁部にＬ形鋼材を埋設することによって段付凹入状の蓋受け部１１０が設けられている。この蓋受け部１１０の一側の立上り面１１１に内向きに固定係合片１が突出されており、同様に、蓋受け部１１０の他側の立上り面１１２に内向きに固定係合片２が突出されている。これらの固定係合片１，２は立上り面１１１，１１２から少し突出された矩形の板材によって形成されており、その先端面に丸みが形成されており、しかも全体が蓋受け部１１０により形成される蓋受け空間に納まっている。すなわち、固定係合片１，２は、水処理槽Ｐの開口１００に出っ張っていない。
【００１９】
覆蓋Ａにおいて、パネル状の覆蓋本体３はＦＲＰや発泡合成樹脂板の上下（表裏）両面に表面材３１を積層一体化することにより形成されており、その一端部の適所と他端部の適所とに発錆しにくい金属であるステンレスで作られた中空ユニット３２，３３が面一にビス３４…で取り付けられている。このため、覆蓋本体３の一端部には中空ユニット３２によって第１凹入部３５が形成され、また、他端部には中空ユニット３３によって第２凹入部３６が形成される。そして、第１凹入部３５は覆蓋本体３の一端面側で開口しており、覆蓋本体３の下面側には図１に示したように盗み凹所３７が形成されている。第２凹入部３５は覆蓋本体３の他端面側で開口している。
【００２０】
また、第１凹入部３５の上壁部３８に円形の開口３９が開設されており、この開口３９の開設箇所にステンレスでなるカップ状の受体４１を取り付けて凹部４２を形成してある。
【００２１】
上記受体４１の中央に孔部４３が設けられており、この孔部４３を貫挿して縦軸５が配備されている。この縦軸５は、第１凹入部３５の下壁部４４に取り付けられたピン部材（ボルトなど）４５によって回転自在に下端部が支持されており、また、その上端部には短いパイプ材でなる棒状の回転操作部５１が直角に固着されていて、その回転操作部５１が上記凹部４２に回転可能に収容されている。図４に示したように縦軸５の軸方向中間部は、その周方向の２箇所が平坦に欠除されて角形軸部５２となされ、その角形軸部５２の下部すなわち縦軸５の下端部は円形の鍔部５３となされている。
【００２２】
６は可動係合片である。この可動係合片６はステンレスで平面視矩形に作られており、その根元に近い部分で逆へ字状に屈曲されている。また、可動係合片６の根元に近い箇所には、当該可動係合片６の長手方向に長い長孔６１が開設されており、その長孔６１の形成箇所を上記縦軸５の角形軸部５２に遊嵌合して、縦軸５に対し上下揺動自在でかつ回転可能としてある。この可動係合片６の先端部６２は上記第１凹入部３５の開口３５ａの近傍箇所でその開口３５ａに臨んでいる。
【００２３】
可動係合片６は、その先端部６２が下動する方向に常時付勢されている。この実施形態ではばね６３の力で先端部６２を下動する方向に常時付勢してある。図１や図４などから類推できるように、ばね６３は、縦軸５の鍔部５３に係合しているＵ字形部６４から延び出た一対のループ部６５，６５を可動係合片６の両側に配し、それらのループ部６５，６５の端部に形成した係合部６６，６６を可動係合片６の根元部分においてその下面に係止させてある。
【００２４】
第２凹入部３６は覆蓋本体３の上面側に係合部４６を備えている。
【００２５】
なお、覆蓋本体３には、図７や図８で説明したものと同様に把手ユニット（不図示）を有しており、その把手ユニットを手で持って蓋受け部１１０に着脱される。
【００２６】
この実施形態において、可動係合片６の先端部６２が第１凹入部３５の開口３５ａに臨んでロック位置になっているときに、覆蓋本体３の一端部を蓋受け部１１０に嵌合していくと、盗み凹所３７を通過した固定係合片１が図５のように可動係合片６の先端部６２が固定係合片１に当たる。さらに覆蓋本体３の一端部を蓋受け部１１０に嵌合していく動作を続けると、可動係合片６の先端部６２が固定係合片１に当たっている位置に保持されるのに対して覆蓋本体３は下方に移動していくので、可動係合片６が縦軸５の嵌合箇所である長孔６１の付近を揺動中心として覆蓋本体３に対して相対的に揺動する。このため、可動係合片６がある程度揺動した時点で、その先端部６２が固定係合片１から外れてばね６３の力で固定係合片１の下側へ揺動される。したがって、覆蓋本体３を蓋受け部１１０に載架して水処理槽Ｐの開口１００を覆ったときには、図１のように可動係合片６が固定係合片１に下から対向する。この状態では、覆蓋Ａを持ち上げて取り除こうとしても、図６のように可動係合片６が固定係合片１に係合するので、覆蓋Ａを取り除くことができない。ロック状態である。図５および図６において矢符Ｘ，Ｙは覆蓋本体３の一端部の移動方向を示している。
【００２７】
他方、可動係合片６の先端部６２が図２に仮想線で示したように第１凹入部３５の開口３５ａに臨んでいない非ロック位置になっているときに、覆蓋本体３の一端部を蓋受け部１１０に嵌合していくと、固定係合片１に可動係合片６が当たることなく覆蓋本体３が蓋受け部１１０に載架されて水処理槽Ｐの開口１００を覆う。したがって、この場合には、回転操作部５１を工具または手を使って回転させることにより、図２の矢符ｃのように可動係合片６を回転させてその可動係合片６を固定係合片１に下から対向するロック位置まで動かしてロック状態にすればよい。なお、凹部４２に突起４７を設けて回転操作部５１の回転範囲を規制することが望ましい。この回転操作部５１は棒状であるから、回転操作部５１を見て可動係合片６がロック位置になっているか否かを判断できる。
【００２８】
ロック状態を解除するときは、回転操作部５１を工具または手を使って回転させることにより、図２の矢符ｄのように可動係合片６を回転させてその可動係合片６を固定係合片１に下から逃がせばよい。これにより、可動係合片６が固定係合片１と対向しない位置に動いてロック解除状態になる。
【００２９】
覆蓋Ａを蓋受け部１１０に載架して水処理槽Ｐの開口１００を覆わせるときには、覆蓋本体３の一端部を蓋受け部１１０に載架する前に、覆蓋本体３の他端部を蓋受け部１１０に載架し、その状態から覆蓋本体３の他端部を支点として覆蓋本体３の一端部を下動させていく。その際、覆蓋本体３の第２凹入部３６に固定係合片２を嵌入しておく必要がある。
【００３０】
この実施形態のロック装置において、その構成要素である縦軸５や可動係合片６は覆蓋本体３の第１凹入部３５に収容されており、第２凹入部３６の係合部４６は覆蓋本体３の上面側に備わっており、固定係合片１，２は水処理槽Ｐに設けられた段付凹入状の蓋受け部１１０の立上り面１１１で内向きに突出されているので、水処理層Ｐの開口１００内に出っ張る部材はない。そのため、清掃や点検などのために作業者が開口１００を出入りしても、開口１００内に出っ張った部材が作業者に当たって怪我をするといった余地はまったくない。
【００３１】
【発明の効果】
本発明に係る水処理層覆蓋のロック装置によれば、そのほとんどの構成要素が覆蓋本体の第１凹入部や水処理槽の開口の縁部に設けられた段付凹入状の蓋受け部に収容され、残りの要素である第２凹入部の係合部は覆蓋本体の上面側に備わっているので、水処理層の開口内に出っ張る部材がなくなる。そのため、覆蓋を取り除いて確保した開き箇所から作業者が出入りするときの安全性が向上する。
【００３２】
また、覆蓋を水処理槽の蓋受け部に載架するときに可動係合片がどの位置に動かされていても、そのまま覆蓋を蓋受け部に載架して水処理槽の開口を覆わせることが可能であるという利便がある。
【００３３】
そして、可動係合片の先端部を下動する方向に付勢する手段としてばね力を利用するとロック装置の動作信頼性が高まり、また、縦軸の上端部に設けた棒状の回転操作部を第１凹入部の上壁部に形成した凹部に収容したものでは、可動係合片のロック位置とロック解除位置とを棒状の回転操作部の向きから判断できる上、覆蓋本体の上を作業者が歩いてもその作業者が回転操作部につまずく危険がなくなって安全性が向上する。
【００３４】
さらに、可動係合片を縦軸に上下揺動自在でかつ回転可能に支持する手段として、縦軸の軸方向中間部に設けた角形軸部に、可動係合片の長孔を嵌合するという構成を採用したものでは、下動係合片を揺動させるための構成が簡単になり、それだけロック装置を安価に提供できるようになる。
【図面の簡単な説明】
【図１】本発明に係るロック装置を取り付けた覆蓋と水処理槽を示す一部省略垂直断面図である。
【図２】要部の平面図である。
【図３】他の要部の平面図である。
【図４】縦軸に対する可動係合片の取付構造を示す水平断面図である。
【図５】覆蓋を装着するときの作用を説明するための部分垂直断面図である。
【図６】ロック状態の作用を説明するための部分垂直断面図である。
【図７】従来のロック装置を備えた覆蓋と水処理槽を示す一部省略垂直断面図である。
【図８】従来のロック装置の要部を示す平面図である。
【符号の説明】
Ａ  覆蓋
Ｐ  水処理槽
１，２  固定係合片
３  覆蓋本体
５  縦軸
６  可動係合片
３５  第１凹入部
３５ａ  第１凹入部の開口
３６  第２凹入部
３７  盗み凹所
３８  第１凹入部の上壁部
４２  上壁部の凹部
４６  係合部
５１  回転操作部
５２  角形軸部
６１  長孔
６２  可動係合片の先端部
６３  ばね力
１００  水処理槽の開口
１１０  蓋受け部
【図１】
0003643965.tif 000002
【図２】
0003643965.tif 000003
【図３】
0003643965.tif 000004
【図４】
0003643965.tif 000005
【図５】
0003643965.tif 000006
【図６】
0003643965.tif 000007
【図７】
0003643965.tif 000008
【図８】
0003643965.tif 000009